【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
ＨＡＲＱプロセスを用いてデータを送信する送信装置であって、
複数の組み合わせの１つを用いてデータを送信する送信部、
を有し、
前記複数の組み合わせは、それぞれ、複数の冗長度バージョンの１つと複数のコンスタレーションバージョンの１つとからなり、
前記複数のコンスタレーションバージョンの少なくとも１つは、前記複数の冗長度バージョンの２つ以上に割り当てられている。
【請求項２】
前記複数のコンスタレーションバージョンは、それぞれ、（ａ）複数のビットからなるビットシーケンス内のビット位置、および（ｂ）ビットの論理値、の少なくとも一方を規定する、
請求項１記載の送信装置。
【請求項３】
前記複数のコンスタレーションバージョンは、（ａ）複数のビットからなるビットシーケンス内のビット位置、および（ｂ）前記ビットシーケンス内のビットの論理値、の少なくとも一方の点で、互いに異なる、
請求項１または請求項２記載の送信装置。
【請求項４】
前記複数のコンスタレーションバージョンの１つは、複数のビットからなるビットシーケンスを並び替えることによって生成される、
請求項１から請求項３のいずれかに記載の送信装置。
【請求項５】
前記複数のコンスタレーションバージョンの１つは、（ａ）複数のビットからなるビットシーケンス内の、あるビットと他のビットの位置を交換すること、および（ｂ）前記ビットシーケンス内のビットの論理値を反転すること、の少なくとも一方によって生成される、
請求項１から請求項４のいずれかに記載の送信装置。
【請求項６】
前記複数のコンスタレーションバージョンの１つは、ビットシーケンス（ｉ１ｑ１ｉ２ｑ２）に関して、（ａ）ｉ１およびｑ１と、ｉ２およびｑ２の位置を交換し、ｉ１とｑ１の論理値を反転すること、（ｂ）ｉ１およびｑ１と、ｉ２およびｑ２の位置を交換すること、および（ｃ）ｉ２とｑ２の論理値を反転すること、の少なくとも１つによって生成される、
請求項１から請求項５のいずれかに記載の送信装置。
【請求項７】
複数のビットからなるビットシーケンスを、前記複数の組み合わせの１つにおけるコンスタレーションバージョンに従って並び替える並び替え部、
をさらに有する請求項１から請求項６のいずれかに記載の送信装置。
【請求項８】
（ａ）複数のビットからなるビットシーケンス内のあるビットと他のビットの位置を交換すること、および（ｂ）前記ビットシーケンス内のビットの論理値を反転すること、の少なくとも一方を行う並び替え部、
をさらに有する請求項１から請求項６のいずれかに記載の送信装置。
【請求項９】
ビットシーケンス（ｉ１ｑ１ｉ２ｑ２）に関して、（ａ）ｉ１およびｑ１と、ｉ２およびｑ２の位置を交換し、ｉ１とｑ１の論理値を反転すること、（ｂ）ｉ１およびｑ１と、ｉ２およびｑ２の位置を交換すること、および（ｃ）ｉ２とｑ２の論理値を反転すること、の少なくとも１つを行う並び替え部、
をさらに有する請求項１から請求項６のいずれかに記載の送信装置。
【請求項１０】
前記並び替えたビットシーケンスを変調マッパによって１６ＱＡＭにマッピングするマッピング部、
をさらに有し、
前記送信部は、
前記データを並び替えたビットシーケンスとして送信する、
請求項７から請求項９のいずれかに記載の送信装置。
【請求項１１】
前記送信部は、
（ａ）第１のデータを前記複数の組み合わせの１つを用いて送信し、（ｂ）第２のデータを前記複数の組み合わせの他の１つを用いて送信する、
請求項１から請求項１０のいずれかに記載の送信装置。
【請求項１２】
前記送信部は、
（ａ）第１のデータを前記ビットシーケンスとして送信し、（ｂ）第２のデータを並び替えたビットシーケンスとして送信する、
請求項７から請求項１１のいずれかに記載の送信装置。
【請求項１３】
ＨＡＲＱプロセスを用いてデータを送信する送信方法であって、
複数の組み合わせの１つを用いてデータを送信する工程、
を有し、
前記複数の組み合わせは、それぞれ、複数の冗長度バージョンの１つと複数のコンスタレーションバージョンの１つとからなり、
前記複数のコンスタレーションバージョンの少なくとも１つは、前記複数の冗長度バージョンの２つ以上に割り当てられている。
【請求項１４】
前記複数の組み合わせから１つの組み合わせを選択する工程、
をさらに有し、
選択した組み合わせを用いて前記データを送信する、
請求項１３記載の送信方法。
【請求項１５】
前記複数のコンスタレーションバージョンは、それぞれ、（ａ）複数のビットからなるビットシーケンス内のビット位置、および（ｂ）ビットの論理値、の少なくとも一方を規定する、
請求項１３または請求項１４記載の送信方法。
【請求項１６】
前記複数のコンスタレーションバージョンは、（ａ）複数のビットからなるビットシーケンス内のビット位置、および（ｂ）前記ビットシーケンス内のビットの論理値、の少なくとも一方の点で、互いに異なる、
請求項１３から請求項１５のいずれかに記載の送信方法。
【請求項１７】
前記複数のコンスタレーションバージョンの１つは、複数のビットからなるビットシーケンスを並び替えることによって生成される、
請求項１３から請求項１６のいずれかに記載の送信方法。
【請求項１８】
前記複数のコンスタレーションバージョンの１つは、（ａ）複数のビットからなるビットシーケンス内のあるビットと他のビットの位置を交換すること、および（ｂ）前記ビットシーケンス内のビットの論理値を反転すること、の少なくとも一方によって生成される、
請求項１３から請求項１７のいずれかに記載の送信方法。
【請求項１９】
前記複数のコンスタレーションバージョンの１つは、ビットシーケンス（ｉ１ｑ１ｉ２ｑ２）に関して、（ａ）ｉ１およびｑ１と、ｉ２およびｑ２の位置を交換し、ｉ１とｑ１の論理値を反転すること、（ｂ）ｉ１およびｑ１と、ｉ２およびｑ２の位置を交換すること、および（ｃ）ｉ２とｑ２の論理値を反転すること、の少なくとも１つによって生成される、
請求項１３から請求項１８のいずれかに記載の送信方法。
【請求項２０】
複数のビットからなるビットシーケンスを、前記複数の組み合わせの１つにおけるコンスタレーションバージョンに従って並び替える工程、
をさらに有する請求項１３から請求項１９のいずれかに記載の送信方法。
【請求項２１】
（ａ）複数のビットからなるビットシーケンス内のあるビットと他のビットの位置を交換すること、および（ｂ）前記ビットシーケンス内のビットの論理値を反転すること、の少なくとも一方を行う工程、
をさらに有する請求項１３から請求項２０のいずれかに記載の送信方法。
【請求項２２】
ビットシーケンス（ｉ１ｑ１ｉ２ｑ２）に関して、（ａ）ｉ１およびｑ１と、ｉ２およびｑ２の位置を交換し、ｉ１とｑ１の論理値を反転すること、（ｂ）ｉ１およびｑ１と、ｉ２およびｑ２の位置を交換すること、および（ｃ）ｉ２とｑ２の論理値を反転すること、の少なくとも１つを行う工程、
をさらに有する請求項１３から請求項２１のいずれかに記載の送信方法。
【請求項２３】
前記並び替えたビットシーケンスを変調マッパによって１６ＱＡＭにマッピングする工程、
をさらに有し、
前記データを並び替えたビットシーケンスとして送信する、
請求項２０から請求項２２のいずれかに記載の送信方法。
【請求項２４】
第１のデータを前記複数の組み合わせの１つを用いて送信し、
第２のデータを前記複数の組み合わせの他の１つを用いて送信する工程、をさらに有する、
請求項１３から請求項２３のいずれかに記載の送信方法。
【請求項２５】
第１のデータを前記ビットシーケンスとして送信し、
第２のデータを並び替えたビットシーケンスとして送信する工程、をさらに有する、
請求項２０から請求項２４のいずれかに記載の送信方法。
【請求項２６】
請求項１から請求項１２のいずれかに記載の送信装置によって送信されたデータを受信する受信部、
を有する受信装置。
【請求項２７】
請求項１３から請求項２５のいずれかに記載の送信方法によって送信されたデータを受信する工程、
を有する受信方法。
【請求項２８】
ＨＡＲＱプロセスを用いて送信されたデータを受信する受信装置であって、
複数の組み合わせの１つを用いて送信されたデータを受信する受信部、
を有し、
前記複数の組み合わせは、それぞれ、複数の冗長度バージョンの１つと複数のコンスタレーションバージョンの１つとからなり、
前記複数のコンスタレーションバージョンの少なくとも１つは、前記複数の冗長度バージョンの２つ以上に割り当てられている。
【請求項２９】
受信したデータを復調する復調部、
をさらに有する請求項２８記載の受信装置。
【請求項３０】
前記複数のコンスタレーションバージョンは、それぞれ、（ａ）複数のビットからなるビットシーケンス内のビット位置、および（ｂ）ビットの論理値、の少なくとも一方を規定する、
請求項２８または請求項２９記載の受信装置。
【請求項３１】
前記複数のコンスタレーションバージョンは、（ａ）複数のビットからなるビットシーケンス内のビット位置、および（ｂ）前記ビットシーケンス内のビットの論理値、の少なくとも一方の点で、互いに異なる、
請求項２８から請求項３０のいずれかに記載の受信装置。
【請求項３２】
前記複数のコンスタレーションバージョンの１つは、（ａ）複数のビットからなるビットシーケンス内のあるビットと他のビットの位置を交換すること、および（ｂ）前記ビットシーケンス内のビットの論理値を反転すること、の少なくとも一方によって生成される、
請求項２８から請求項３１のいずれかに記載の受信装置。
【請求項３３】
（ａ）受信したデータの複数のビットからなるビットシーケンス内のあるビットと他のビットの位置を交換すること、および（ｂ）前記ビットシーケンス内のビットの論理値を反転すること、の少なくとも一方を行う並び替え部、
をさらに有する請求項２８から請求項３２のいずれかに記載の受信装置。
【請求項３４】
前記受信部は、
（ａ）前記複数の組み合わせの１つを用いて送信された第１のデータを受信し、（ｂ）前記複数の組み合わせの他の１つを用いて送信された第２のデータを受信する、
請求項２８から請求項３３のいずれかに記載の受信装置。
【請求項３５】
前記第１のデータと前記第２のデータを合成する合成部、
をさらに有する請求項３４記載の受信装置。
【請求項３６】
ＨＡＲＱプロセスを用いて送信されたデータを受信する受信方法であって、
複数の組み合わせの１つを用いて送信されたデータを受信する工程、
を有し、
前記複数の組み合わせは、それぞれ、複数の冗長度バージョンの１つと複数のコンスタレーションバージョンの１つとからなり、
前記複数のコンスタレーションバージョンの少なくとも１つは、前記複数の冗長度バージョンの２つ以上に割り当てられている。
【請求項３７】
受信したデータを復調する工程、
をさらに有する請求項３６記載の受信方法。
【請求項３８】
（ａ）受信したデータの複数のビットからなるビットシーケンス内のあるビットと他のビットの位置を交換すること、および（ｂ）前記ビットシーケンス内のビットの論理値を反転すること、の少なくとも一方を行う工程、
をさらに有する請求項３６または請求項３７に記載の受信方法。
【請求項３９】
前記複数の組み合わせの１つを用いて送信された第１のデータを受信し、
前記複数の組み合わせの他の１つを用いて送信された第２のデータを受信する工程、をさらに有する、
請求項３６から請求項３８のいずれかに記載の受信方法。
【請求項４０】
前記第１のデータと前記第２のデータを合成する工程、
をさらに有する請求項３９記載の受信方法。
【請求項４１】
請求項１から請求項１２のいずれかに記載の送信装置と、
前記送信装置によって送信されたデータを受信する受信部を有する受信装置と、
を有する送信システム。
【手続補正２】
【補正対象書類名】明細書
【補正対象項目名】発明の名称
【補正方法】変更
【補正の内容】
【発明の名称】送信装置および受信装置
【手続補正３】
【補正対象書類名】明細書
【補正対象項目名】０００１
【補正方法】変更
【補正の内容】
【０００１】
本発明は、送信装置および受信装置に関する。
【手続補正４】
【補正対象書類名】明細書
【補正対象項目名】００２３
【補正方法】変更
【補正の内容】
【００２３】
本発明の目的は、ビット信頼性の変化による復号器の性能の劣化を効果的に回避することができる送信装置および受信装置を提供することである。
【手続補正５】
【補正対象書類名】明細書
【補正対象項目名】００２４
【補正方法】変更
【補正の内容】
【００２４】
本発明の送信装置は、ＨＡＲＱプロセスを用いてデータを送信する送信装置であって、複数の組み合わせの１つを用いてデータを送信する送信部、を有し、前記複数の組み合わせは、それぞれ、複数の冗長度バージョンの１つと複数のコンスタレーションバージョンの１つとからなり、前記複数のコンスタレーションバージョンの少なくとも１つは、前記複数の冗長度バージョンの２つ以上に割り当てられている、構成を採る。
本発明の受信装置は、ＨＡＲＱプロセスを用いて送信されたデータを受信する受信装置であって、複数の組み合わせの１つを用いて送信されたデータを受信する受信部、を有し、前記複数の組み合わせは、それぞれ、複数の冗長度バージョンの１つと複数のコンスタレーションバージョンの１つとからなり、前記複数のコンスタレーションバージョンの少なくとも１つは、前記複数の冗長度バージョンの２つ以上に割り当てられている、構成を採る。